(57)【要約】【課題】マグネットを備えたボールマーカーだけでなく、鉄などの磁性体により形成されたボールマーカーを保持可能であり、かつ、マグネットを備えたボールマーカーの装飾面を必ず表側にして保持可能なマーカーホルダーの提供。【解決手段】シューズの上面に取り付けられるマーカーホルダー１であって、ボールマーカーを保持可能な第１の凹部１０Ａが形成された第１面１１Ａと、第１面１１Ａの裏側の面でありボールマーカーを保持可能な第２の凹部１０Ｂが形成された第２面１１Ｂと、第１の凹部１０Ａと第２の凹部１０Ｂとの間に設けられたマグネット１２であり、１対の磁極をそれぞれ第１の凹部１０Ａおよび第２の凹部１０Ｂに向けて配置されたマグネット１２とを有する。【選択図】図１
2017023518.tif 000002
【特許請求の範囲】
【請求項１】
シューズの上面に取り付けられるマーカーホルダーであって、
ボールマーカーを保持可能な第１の凹部が形成された第１面と、
前記第１面の裏側の面でありボールマーカーを保持可能な第２の凹部が形成された第２面と、
前記第１の凹部と前記第２の凹部との間に設けられたマグネットであり、１対の磁極をそれぞれ前記第１の凹部および前記第２の凹部に向けて配置されたマグネットと
を有するマーカーホルダー。
【請求項２】
前記第１の凹部が形成され、前記第１の凹部の底部に第１の貫通孔が形成された第１の板材と、
前記第２の凹部が形成され、前記第２の凹部の底部に第２の貫通孔が形成された第２の板材と
を有し、
前記マグネットは、前記第１の板材と前記第２の板材との間に挟持されたものである
請求項１記載のマーカーホルダー。
【請求項３】
前記第１の凹部が形成され、前記第１の凹部の底部に第１の貫通孔が形成された第１の板材と、
前記第２の凹部が形成され、前記第２の凹部の底部に第２の貫通孔が形成された第２の板材と、
磁性体からなり、前記第１の板材と前記第２の板材との間に挟持された第３の板材と
を有し、
前記マグネットは、前記第１の貫通孔内または前記第２の貫通孔内に、前記第３の板材に密着して設けられたものである
請求項１記載のマーカーホルダー。
【請求項４】
前記第１の凹部および前記第２の凹部の前記ボールマーカーを保持する面は、それぞれ前記第１の凹部および前記第２の凹部の開口面に向かって凸状に形成された面である請求項１から３のいずれか１項に記載のマーカーホルダー。
【発明の詳細な説明】
【技術分野】
【０００１】
本発明は、ゴルフ用ボールマーカーをシューズに保持可能にするためのマーカーホルダーに関する。
【背景技術】
【０００２】
ゴルフのプレイ中、グリーン面上でゴルフボールの位置をマークするためにボールマーカーが用いられる。ボールマーカーは、一般的に金属製でコイン状（円盤状）のものが知られているが、比較的小型のものが多いため、ズボンのポケットの中等から取り出しにくいことや、紛失しやすいという問題がある。そこで、このようなボールマーカーをシューズに保持可能にするためのマーカーホルダーが開発されている。
【０００３】
例えば特許文献１には、ゴルフシューズに取り付けるための取付けベースと、取付け構造としてのフック（折り返し部）と、マグネットとを備えたマーカーホルダーが記載されている。金属製のボールマーカーは、マグネットの磁力によってこのマーカーホルダーに保持される。また、特許文献２には、シューズに取り付けるホルダー本体を鉄などの磁性体で作製することで、マグネットを備えたマーカーをホルダー本体に保持可能にするものが記載されている。
【先行技術文献】
【特許文献】
【０００４】
【特許文献１】特開２００９−２２５９５９号公報
【特許文献２】国際公開第２００７／９４３６３号
【発明の概要】
【発明が解決しようとする課題】
【０００５】
上記のように、従来のボールマーカーには、金属製のものと、マグネットを備えたものとがあり、対応するマーカーホルダーは特許文献１，２に記載のように金属製のもの用と、マグネットを備えたもの用とのそれぞれ専用品となる。なお、マグネットを備えたボールマーカーはマグネットを備えたマーカーホルダーに保持することも可能であるが、マグネットには極性があるため、装飾が施されたマーカーホルダーの装飾面を表側にして装着できるとは限られず、装飾面が裏側となってしまうこともある。
【０００６】
そこで、本発明においては、マグネットを備えたボールマーカーだけでなく、鉄などの磁性体により形成されたボールマーカーを保持可能であり、かつ、マグネットを備えたボールマーカーの装飾面を必ず表側にして保持可能なマーカーホルダーを提供することを目的とする。
【課題を解決するための手段】
【０００７】
本発明のマーカーホルダーは、シューズの上面に取り付けられるマーカーホルダーであって、ボールマーカーを保持可能な第１の凹部が形成された第１面と、第１面の裏側の面でありボールマーカーを保持可能な第２の凹部が形成された第２面と、第１の凹部と第２の凹部との間に設けられたマグネットであり、１対の磁極をそれぞれ第１の凹部および第２の凹部に向けて配置されたマグネットとを有するものである。
【０００８】
本発明のマーカーホルダーによれば、１対の磁極をそれぞれ第１の凹部および第２の凹部に向けて配置されたマグネットの磁力により、鉄などの磁性体（マグネットに引き寄せられる鉄などの強磁性体をいう。以下同じ。）により形成されたボールマーカーの場合には、装飾面を表側にして第１面の第１の凹部および第２面の第２の凹部のいずれにも保持することが可能である。一方、マグネットを備えたボールマーカーの場合には、装飾面を表側にして第１面の第１の凹部または第２面の第２の凹部のいずれか一方に保持することが可能である。すなわち、本発明のマーカーホルダーによれば、第１面または第２面のどちらかの面を表側にしてシューズの上面に取り付けることにより、マグネットを備えたボールマーカーおよび鉄などの磁性体により形成されたボールマーカーのいずれも装飾面を必ず表側にして保持することが可能となる。
【０００９】
また、本発明のマーカーホルダーは、第１の凹部および第２の凹部のボールマーカーを保持する面が、それぞれ第１の凹部および第２の凹部の開口面に向かって凸状に形成された面であることが望ましい。これにより、ボールマーカーを取り出す際には、ボールマーカーの周縁部を押すと、押した側の周縁部が凸状に沿って奥に入り、反対側の周縁部が凹部の外側に飛び出すため、ボールマーカーを容易に取り出すことが可能となる。
【発明の効果】
【００１０】
（１）ボールマーカーを保持可能な第１の凹部が形成された第１面と、第１面の裏側の面でありボールマーカーを保持可能な第２の凹部が形成された第２面と、第１の凹部と第２の凹部との間に設けられ、第１の凹部および第２の凹部に向かって磁極が配置されたマグネットとを有する構成により、マグネットを備えたボールマーカーおよび鉄などの磁性体により形成されたボールマーカーのいずれも装飾面を必ず表側にして保持することが可能となる。
【００１１】
（２）第１の凹部および第２の凹部のボールマーカーを保持する面が、それぞれ第１の凹部および第２の凹部の開口面に向かって凸状に形成された面である構成により、ボールマーカーを容易に取り出すことが可能となる。
【図面の簡単な説明】
【００１２】
【図１】本発明の実施の形態におけるマーカーホルダーの正面図である。
【図２】図１のＩＩ−ＩＩ線断面図である。
【図３】図１のマーカーホルダーの使用状態を示す斜視図である。
【図４】本発明の別の実施形態におけるマーカーホルダーの正面図である。
【図５】図４のＶ−Ｖ線断面図である。
【図６】図４のマーカーホルダーの別の実施形態を示すＶ−Ｖ線断面図である。
【図７】図４のマーカーホルダーのさらに別の実施形態を示すＶ−Ｖ線断面図である。
【発明を実施するための形態】
【００１３】
図１は本発明の実施の形態におけるマーカーホルダーの正面図、図２は図１のＩＩ−ＩＩ線断面図、図３は図１のマーカーホルダーの使用状態を示す斜視図である。
【００１４】
図１および図２に示すように、本発明の実施の形態におけるマーカーホルダー１は、ボールマーカーＭ（図３参照。）を保持可能な第１の凹部１０Ａが形成された第１面１１Ａと、第１面１１Ａの裏側の面でありボールマーカーＭを保持可能な第２の凹部１０Ｂが形成された第２面１１Ｂと、第１の凹部１０Ａと第２の凹部１０Ｂとの間に設けられたマグネット１２とを有する。第１の凹部１０Ａおよび第２の凹部１０Ｂの内径は、ボールマーカーＭよりも若干大きく設定されている。
【００１５】
マーカーホルダー１は、ゴム製の第１の板材１３Ａとゴム製の第２の板材１３Ｂとを貼り合わせることによって形成されている。マグネット１２は、第１の板材１３Ａと第２の板材１３Ｂとの間に挟持され、そのＮ極およびＳ極の１対の磁極をそれぞれ第１の凹部１０Ａおよび第２の凹部１０Ｂに向けて配置されている。
【００１６】
第１の凹部１０Ａは第１の板材１３Ａの外側に形成され、第２の凹部１０Ｂは第２の板材１３Ｂの外側に形成されている。第１の凹部１０Ａおよび第２の凹部１０ＢのボールマーカーＭを保持する面１０Ａ−１，１０Ｂ−１は、それぞれ第１の凹部１０Ａおよび第２の凹部１０Ｂの開口面１０Ａ−２，１０Ｂ−２に向かって凸状に形成された面である。
【００１７】
また、第１の凹部１０Ａの底部には第１の貫通孔１４Ａが、第２の凹部１０Ｂの底部には第２の貫通孔１４Ｂがそれぞれ形成されている。第１の貫通孔１４Ａおよび第２の貫通孔１４Ｂは、第１の凹部１０Ａおよび第２の凹部１０Ｂの内径よりも小さな内径に設定されている。
【００１８】
上記構成のマーカーホルダー１は、図３に示すように、ゴルフ用のシューズＳの上面に取り付けて使用されるものである。マーカーホルダー１の上部には取付孔１５が間隔を開けて２個設けられており、これらの取付孔１５にシューズＳの紐Ｌを通すことによりシューズＳに装着して使用される。
【００１９】
ボールマーカーＭは通常、一方の面が装飾面となっている。ボールマーカーＭが鉄などの磁性体により形成されたものである場合、マーカーホルダー１のマグネット１２の磁極の向きに関係なく、マーカーホルダー１の第１面１１Ａの第１の凹部１０Ａおよび第２面１１Ｂの第２の凹部１０Ｂのいずれにも保持することが可能であるため、装飾面を表側にしてマーカーホルダー１に装着することが可能である。
【００２０】
これに対し、ボールマーカーＭがマグネットを備えたものである場合、装飾面がＮ極のものとＳ極のものとの２種類存在する。一方、マーカーホルダー１は、第１面１１Ａの第１の凹部１０Ａ側がマグネット１２のＮ極側であり、第２面１１Ｂの第２の凹部１０Ｂ側がＳ極側である。そのため、ボールマーカーＭの装飾面がＮ極の場合には、その裏面側のＳ極を第１面１１Ａの第１の凹部１０Ａに向けて保持することが可能であり、ボールマーカーＭの装飾面がＳ極の場合には、その裏面側のＮ極を第２面１１Ｂの第２の凹部１０Ｂに向けて保持することが可能である。
【００２１】
したがって、ボールマーカーＭの装飾面がＮ極の場合には、図３に示すように、マーカーホルダー１を第１面１１Ａが表側となるようにシューズＳに装着して使用することで、ボールマーカーＭの装飾面を表側としてマーカーホルダー１に保持することが可能となる。一方、ボールマーカーＭの装飾面がＳ極の場合には、図３に示す状態とは逆に、マーカーホルダー１を第２面１１Ｂが表側となるようにシューズＳに装着して使用することで、ボールマーカーＭの装飾面を表側としてマーカーホルダー１に保持することが可能となる。
【００２２】
すなわち、本実施形態におけるマーカーホルダー１によれば、第１面１１Ａまたは第２面１１Ｂのどちらかの面を表側にしてシューズＳの上面に取り付けることにより、マグネットを備えたボールマーカーＭおよび鉄などの磁性体により形成されたボールマーカーＭのいずれも装飾面を必ず表側にして保持することが可能である。
【００２３】
また、本実施形態におけるマーカーホルダー１では、第１の凹部１０Ａおよび第２の凹部１０ＢのボールマーカーＭを保持する面１０Ａ−１，１０Ｂ−１が、それぞれ第１の凹部１０Ａおよび第２の凹部１０Ｂの開口面１０Ａ−２，１０Ｂ−２に向かって凸状に形成された面であることから、ボールマーカーＭを取り出す際には、ボールマーカーＭの周縁部を押すと、押した側の周縁部が凸状に沿って奥に入り、反対側の周縁部が凹部の外側に飛び出すため、ボールマーカーＭを容易に取り出すことが可能である。
【００２４】
なお、本実施形態においては、ボールマーカーＭを保持する面１０Ａ−１，１０Ｂ−１の凸状をドーム状の曲面に形成しているが、凸状の形状はこれに限られない。要するに、ボールマーカーＭを保持する面１０Ａ−１，１０Ｂ−１の中央部分が高く、周縁部が低くなるような凸状とすることで、ボールマーカーＭを容易に取り出すことが可能となる。
【００２５】
次に、本発明のマーカーホルダーの別の実施形態について説明する。図４は本発明の別の実施形態におけるマーカーホルダーの正面図、図５は図４のＶ−Ｖ線断面図である。なお、以下の説明において、上述のマーカーホルダー１と共通する構成部分については同一の符号を付し、その詳細な説明を省略する。
【００２６】
図４および図５に示すマーカーホルダー１Ａでは、第１の板材１３Ａと第２の板材１３Ｂとの間に磁性体からなる第３の板材２０が挟持されている。また、このマーカーホルダー１Ａでは、マグネット２１が第２の貫通孔１４Ｂ内に第３の板材２０に密着して設けられている。なお、前述と同様に、マグネット２１のＮ極およびＳ極の１対の磁極は、それぞれ第１の凹部１０Ａおよび第２の凹部１０Ｂに向けて配置されている。
【００２７】
このような構成においても、マーカーホルダー１Ａは、第１面１１Ａの第１の凹部１０Ａ側がマグネット２１のＮ極側であり、第２面１１Ｂの第２の凹部１０Ｂ側がＳ極側となるため、前述のマーカーホルダー１と同様に、第１面１１Ａまたは第２面１１Ｂのどちらかの面を表側にしてシューズＳの上面に取り付けることにより、マグネットを備えたボールマーカーＭおよび鉄などの磁性体により形成されたボールマーカーＭのいずれも装飾面を必ず表側にして保持することが可能である。
【００２８】
また、図６に示すように、マグネット２１を設けていない第１の貫通孔１４Ａ内に、マグネット２１と同様の形状の鉄などの磁性体２２を設けた構成とすることも可能である。この構成は、第１の凹部１０Ａ内に保持されるボールマーカーＭとマグネット２１との距離が遠く、マグネット２１の磁力ではボールマーカーＭの保持力が不足する場合に有効である。
【００２９】
なお、上記マーカーホルダー１Ａでは、マグネット２１を第２の貫通孔１４Ｂ内に設けた構成であるが、第１の貫通孔１４Ａ内に第３の板材２０に密着して設けた構成としても良い。あるいは、図７に示すように、マグネット２１を第１の貫通孔１４Ａと第２の貫通孔１４Ｂとの両方に設けた構成とすることも可能である。
【００３０】
また、マーカーホルダー１，１Ａのマグネット１２，２１の磁極の向きは逆にしても良い。さらに、マーカーホルダー１，１Ａは、第１の板材１３Ａと第２の板材１３Ｂとを貼り合わせずに、マグネット１２，２１や第３の板材２０を埋め込んで一体成形しても良い。
【産業上の利用可能性】
【００３１】
本発明のマーカーホルダーは、ゴルフ用ボールマーカーをシューズに保持可能にするものとして有用である。
【符号の説明】
【００３２】
１，１Ａ  マーカーホルダー
１０Ａ  第１の凹部
１０Ｂ  第２の凹部
１１Ａ  第１面
１１Ｂ  第２面
１２，２１  マグネット
１３Ａ  第１の板材
１３Ｂ  第２の板材
１４Ａ  第１の貫通孔
１４Ｂ  第２の貫通孔
１５  取付孔
２０  第３の板材
２２  磁性体
【図１】
2017023518.tif 000003
【図２】
2017023518.tif 000004
【図３】
2017023518.tif 000005
【図４】
2017023518.tif 000006
【図５】
2017023518.tif 000007
【図６】
2017023518.tif 000008
【図７】
2017023518.tif 000009